(57)【要約】      （修正有）【課題】上下間隔の狭い清掃個所にも進入可能とする把手及びその取付け構造を備えた清掃用具を提供する。【解決手段】シート体を支持する略矩形支持体２の上面中央部に長手方向に延びる断面逆台形状の溝１８を形成し、溝１８の両端面に把手３の旋回軸１６を旋回自在に挿入させる軸受孔１９を設ける。把手３は丸棒を平行部の長いＵ字状に折り曲げ、両自由端部を短く外方に折り曲げて旋回軸１６を形成し、旋回軸１６を軸受孔１９に挿入した状態で把手３を支持体２の上面に接触する水平姿勢まで旋回されられるようにＵ字状先端部にＵ字平面に対して傾斜する角度の折り曲げを設ける。【選択図】図２
0003171468.tif 000002
【実用新案登録請求の範囲】
【請求項１】
平面視略矩形で薄形の支持体の底面側を包むようにシート体を装着して上面側に取り付けた把手にて操作する清掃用具において、
前記支持体の上面中央部には長手方向に延びる断面逆台形状の溝が形成され、該溝の両端面には後記旋回軸を旋回自在に挿入可能な軸受孔が形成されており、
前記把手は丸棒を平行部の長いＵ字状に形成して両自由端部には短く外方に折り曲げた旋回軸が形成してあり、且つ該旋回軸を前記軸受孔に挿入した状態で把手の平行部が前記支持体の上面に接触する水平姿勢まで旋回されられるようにＵ字状先端部がＵ字平面に対して傾斜する角度に折り曲げられていることを特徴とする清掃用具。
【請求項２】
請求項１に記載の清掃用具において、前記把手は両自由端側が互いに弾発的に開くように弾性を有する材料で形成してあることを特徴とする清掃用具。
【請求項３】
請求項１又は２に記載の清掃用具において、前記断面逆台形状の溝が形成される部分の支持体は、その上面高さが全幅に渡り他の部分より前記把手丸棒の太さ分だけ低く形成されており、前記把手は低く形成された支持体上面に平行部が接触する水平姿勢まで旋回されられるようにＵ字状先端部がＵ字平面に対して傾斜する角度に折り曲げられていることを特徴とする清掃用具。
【請求項４】
請求項２に記載の清掃用具において、前記支持体の上面中央部には支持体幅方向に延びる断面逆台形状の第２の溝が形成され、該第２の溝の両端面にも前記把手の旋回軸を旋回自在に挿入可能な軸受孔が形成されて弾性を有する前記把手を第２の溝に付け替え可能に形成されていることを特徴とする清掃用具。
【考案の詳細な説明】
【技術分野】
【０００１】
本考案は清掃用拭紙、拭布等のシート体を装着して床面、窓ガラス等の清掃に使用する清掃用具に関し、特には上下間隔の狭い清掃個所にも清掃用具を進入させられる把手構造とその把手の清掃用具本体への取付け構造に関する。
【背景技術】
【０００２】
床面、窓ガラス等の清掃に使用する清掃用具として略長方形支持板の底面を包むように使い捨ての清掃用拭紙、拭布等のシート体を装着し、上面中央部に短い固定把手や傾動自在の長柄を取り付けて使用するものがある（特許文献１〜４参照）。図１４はその一例の外観図であり、支持板５１の上面にはシート体５２を保持するための保持部５３が両側長辺に沿って４個設けられている。
【０００３】
保持部５３は弾性を有する合成樹脂の薄板を図１５に示すような楕円形に形成し、中央部にスリット５５を放射状に設けて６個の三角形状フラップ５６を形成したものである。シート体５２は支持板底面に巻き付けて端部を保持部５３の上に引き渡し、指先でフラップ５６の間に押し込む。指先を引き抜くとシート体５２は弾性を有する三角形状フラップ５６間のスリット５５部に挟持状態で保持される。
【０００４】
このようなシート体の保持構造は保持部５３を含む支持板５１の厚みを薄くできるため、支持板５１は上下間隔の狭い清掃個所にも進入させられる。しかしながら従来の清掃用具では支持板５１の上面に図１４に示すような全方向に旋回、起伏可能なジョイント５４を取り付けて伸縮可能な棒状柄５７を連結したり、固定式把手を取り付けたりしていた。このため支持板５１の底面からジョイント５４の頂部、あるいは固定式把手の頂部までの寸法が大きくなり、上下間隔の狭い清掃個所には使用できないという問題があった。
【先行技術文献】
【特許文献】
【０００５】
【特許文献１】実開昭４９−６８２６３号公報
【特許文献２】実用新案登録第２５０７３００号公報
【特許文献３】登録実用新案第３０２３１６７号公報
【特許文献４】特開２００６−２３９１７４号公報
【特許文献５】実願２０１１−４５９８号
【考案の開示】
【考案が解決しようとする課題】
【０００６】
本考案は、従来技術のこうした問題点を解決するためになされたもので、その課題は上下間隔の狭い清掃個所にも進入可能な把手及びその取付け構造を備えた清掃用具を提供することにある。
【課題を解決するための手段】
【０００７】
前記課題を解決するための請求項１に記載の考案は、平面視略矩形で薄形の支持体の底面側を包むようにシート体を装着して上面側に取り付けた把手にて操作する清掃用具において、支持体の上面中央部には長手方向に延びる断面逆台形状の溝が形成され、該溝の両端面には後記旋回軸を旋回自在に挿入可能な軸受孔が形成されており、把手は丸棒を平行部の長いＵ字状に形成して両自由端部には短く外方に折り曲げた旋回軸が形成してあり、且つ該旋回軸を軸受孔に挿入した状態で把手の平行部が支持体の上面に接触する水平姿勢まで旋回されられるようにＵ字状先端部がＵ字平面に対して傾斜する角度に折り曲げられていることを特徴とする清掃用具である。
【０００８】
このような構成によれば、把手を後掲の図７に示したような水平姿勢にまで旋回させることができる。その姿勢では支持体の下面から頂部までの寸法が支持体の厚みに把手丸棒の直径を加えた小さな値となる。このため清掃用具を上下間隔の狭い清掃個所にも進入させることができ、そうした個所の清掃に使用できる利点を有する。
【０００９】
また、請求項２に記載の考案は、請求項１に記載の清掃用具において、把手は両自由端側が互いに弾発的に開くように弾性を有する材料で形成してあることを特徴とする清掃用具である。
【００１０】
このような構成によれば、把手の平行部をたわませて把手を支持体から取り外すことができるため支持体と把手を分離して保管できる。
【００１１】
また、請求項３に記載の考案は、請求項１又は２に記載の清掃用具において、断面逆台形状の溝が形成される部分の支持体は、その上面高さが全幅に渡り他の部分より把手丸棒の太さ分だけ低く形成されており、把手は低く形成された支持体上面に平行部が接触する水平姿勢まで旋回されられるようにＵ字状先端部がＵ字平面に対して傾斜する角度に折り曲げられていることを特徴とする清掃用具である。
【００１２】
このような構成によれば、把手を水平姿勢にまで旋回させたときの支持体の下面から頂部までの寸法を更に小さくすることができ、清掃用具を更に上下間隔の狭い清掃個所にも進入させることができなる。
【００１３】
また、請求項４に記載の考案は、請求項２に記載の清掃用具において、支持体の上面中央部には支持体幅方向に延びる断面逆台形状の第２の溝が形成され、該第２の溝の両端面にも把手の旋回軸を旋回自在に挿入可能な軸受孔が形成されて弾性を有する把手を第２の溝に付け替え可能に形成されていることを特徴とする清掃用具である。
【００１４】
このような構成によれば、把手を第２の溝に付け替えることにより上下間隔だけでなく横幅間隔の狭い清掃個所にも清掃用具を進入させることができ、そうした個所の清掃も可能になる利点を有する。また、把手を支持体から取り外して支持体と把手を分離して保管できる利点も有する。
【図面の簡単な説明】
【００１５】
【図１】第１の実施形態に係る清掃用具１の全体斜視図である。
【図２】清掃用具１の分解斜視図である。
【図３】係止部５の構造を説明する拡大斜視図である。
【図４】シート体４を係止部５に係止させた状態の図１のＡ−Ａ線端面図である。
【図５】把手３の構成図である。
【図６】図１のＢ−Ｂ線に沿った支持体２の断面図である。
【図７】把手３を水平姿勢にまで旋回させた状態の全体斜視図である。
【図８】第２の実施形態に係る清掃用具１ａの支持体２ａの全体斜視図である。
【図９】支持体２ａに把手３ａを取り付けた状態の図８のＣ−Ｃ線に沿った断面図である。
【図１０】第３の実施形態に係る清掃用具１ｂの支持体２ｂの全体斜視図である。
【図１１】把手３を第２の溝１８ｂに取り付けて水平姿勢に旋回させた状態の斜視図である。
【図１２】把手３の変形実施形態である。
【図１３】把手３の別の変形実施形態である。
【図１４】従来の清掃用具の例である。
【図１５】従来の清掃用具におけるシート体保持部の例である。
【考案を実施するための形態】
【００１６】
以下、本考案に係る清掃用具の構成例について実施形態に分けて説明する。
（第１の実施形態）
図１は第１の実施形態に係る清掃用具１の全体斜視図、図２は清掃用具１の分解斜視図である。清掃用具１は図２に示すように清掃用拭紙、拭布等のシート体を装着する支持体２と、その上面に取り付けた把手３とからなる。
【００１７】
シート体を装着する支持体２は平面視略矩形の薄形に形成されており、その上面側にはシート体を係止させる４個の係止部５が設けられている。４個の係止部５は、矩形支持体２の長辺、短辺の各中心線に対して対称に配置されている。図３は係止部５の構造を説明する拡大斜視図、図４はシート体４を係止部５に係止させた状態の図１のＡ−Ａ線に沿った支持体２の端面図である。この部分の支持体２は、上面側から２個の係止部５、上面板６、下面板７、パッド８により構成されている。これら上面板６、下面板７は合成樹脂素材で形成されており、下面板７の下面側にはスポンジや厚めの不織布等によるパッド８が貼り付けてある。
【００１８】
シート体を係止させる係止部５は、図３に示すように蓋体１２と上面板６に開けた孔１４とで構成されている。蓋体１２は屈曲可能な弾性を有する材料にて略矩形の薄板状に形成されている。蓋体１２の一辺部は上面板６の幅方向中央部に接着固定されており、対向する辺縁を指で持ち上げて蓋体１２の下面と上面板６との間に斜めに広がる空隙を形成させることができる。蓋体１２の下面側には２個の突起１３が突出形成されており、上面板６には蓋体１２を上面板６に平行にしたときにその突起１３が入り込む孔１４が形成されている。
【００１９】
シート体４を取り付ける際は支持体２を矩形シート体の上に載せ、蓋体１２の開放端部を持ち上げて蓋体１２と上面板６との間に斜めに広がる空隙を形成させる。そして、図４に示すようにシート体４を支持体２の底面側を包むように巻き付けて端部をその空隙に引き込み、その状態で蓋体１２の開放端部を押し下げ、シート体の端部を間に挟んだ状態で蓋体１２の突起１３を上面板６の孔１４に押し込む。これによりシート体の端部は突起１３の外面と孔１４の内面との間に挟まれ突起１３の弾性力で固定される。このような係止部５の構成は本願の発明者が特許文献５にて開示したものであるが、これに代えて図１５に示したような従来の保持部５３の構造を採用してもよい。
【００２０】
本実施形態の清掃用具１の特徴は、支持体２の上面に取り付ける把手３の構成と、その取り付け構造にある。図５の（１）は把手３の平面図、図５の（２）は正面図である。把手３は、丸棒を平行部の長いＵ字状に折り曲げた形状をなしている。その開放側の両自由端部は短く外方に折り曲げてある。この短い折り曲げ部１６は、後述するように把手３の旋回軸１６として機能する。
【００２１】
更に、平行部の先端側の一部は、Ｕ字平面に対して傾斜する角度に折り曲げられている。その折り曲げは、次に説明する把手３の支持体２への取り付け構造と関係している。支持体２は弾性を有するバネ鋼、ステンレス鋼等の丸棒を折り曲げて形成されており、支持体２から取り外した状態では両自由端側が弾発して平行状態よりも少し開くように調整されている。
【００２２】
支持体２の上面中央部には、この把手３を取り付けるための取付け機構が形成されている。取付け機構は、図２に示すように支持体２の上面中央にて長手方向に延びる断面逆台形状の溝１８と、その溝１８の両端面に設けた軸受孔１９により構成される。図６は、図１のＢ−Ｂ線に沿った支持体２の断面図である。この部分の支持体２は上面板６が厚く形成され、その下面側は下面板７の上面に接している。その部分に断面逆台形状の溝１８が形成され、その溝１８の両端面に軸受孔１９が形成されている。溝１８の長さは把手３の２本の平行部の外側幅に等しくしてある。軸受孔１９には把手３の旋回軸１６が旋回自在に挿入される。軸受孔１９の断面は円形でも矩形でもよい。
【００２３】
把手３を取り付ける際は、弾性を有する材料で形成された平行部の先端側を押し狭めて左右の旋回軸１６を左右の軸受孔１９に挿入する。取り付けた状態では、把手３は図６に示すように二つの軸受孔１９を結ぶ中心線を中心に旋回可能となる。図６の点線で示した把手３の状態は、把手３の平行部下面側が支持体２の上面板６に接触した状態である。把手３の平行部の先端側のＵ字平面に対する傾斜した折り曲げは、把手３を図６の点線に示すように水平姿勢にまで旋回できるように調整してある。図７は把手３を水平姿勢に旋回させた状態の全体斜視図である。
【００２４】
本実施形態の清掃用具１は、把手３を図７に示したように水平姿勢にまで旋回させることができ、水平姿勢に旋回させた状態では図６の点線で示したように把手３の平行部下面側が支持体２の上面板６に接触した状態になる。この状態における支持体２の下面から頂部までの寸法は、支持体２の厚みに把手３の丸棒の直径３〜３．５ｍｍを加えた値となる。その値は図１４に示したジョイント５４を使用する従来の清掃用具に比べて大幅に小さい。このため本実施形態の清掃用具１は、上下間隔の狭い清掃個所にも進入させることができ、そうした個所の清掃に使用できる利点を有する。また、本実施形態の清掃用具１は把手３を支持体２から容易に取り外すことができ、支持体２と把手３を分離して保管できる利点も有する。
【００２５】
（第２の実施形態）
図８は第２の実施形態に係る清掃用具１ａの支持体２ａの全体斜視図、図９はその支持体２ａに把手３ａを取り付けた状態の図８のＣ−Ｃ線に沿った断面図である。本実施形態の清掃用具１ａは、断面逆台形状の溝１８が形成される部分の支持体２ａの上面高さが全幅に渡り他の部分より把手３ａの丸棒の太さ分だけ低く形成してある点に特徴がある。そして、図９に示すように把手３ａを水平姿勢に旋回させた状態では把手３ａの平行部下面側が低く形成した上面板６に接触するように把手３ａの先端部のＵ字平面に対する傾斜した折り曲げが調整してある。
【００２６】
このため把手３ａを水平姿勢に旋回させた状態では、支持体２ａの下面から頂部までの寸法は低く形成されていない部分の支持体２ａの厚みに等しくなり、第１の実施形態に係る清掃用具１よりも更に小さい値になる。このため本実施形態の清掃用具１ａは上下間隔が更に狭い清掃個所にも進入させることができ、そうした個所の清掃に使用できる利点を有する。また、把手３を支持体２から容易に取り外すことができ、支持体２ａと把手３ａを分離して保管できる利点も有する。
【００２７】
（第３の実施形態）
図１０は第３の実施形態に係る清掃用具１ｂの支持体２ｂの全体斜視図である。本実施形態の清掃用具１ｂは第１の実施形態に係る清掃用具１の変形である。異なる点は、支持体２ｂの上面中央部に支持体幅方向に延びる断面逆台形状の第２の溝１８ｂを追加形成したことにある。これは把手３を支持体２ｂの長手方向に旋回できるようにするためである。図１１は把手３を第２の溝１８ｂに取り付けて水平姿勢に旋回させた状態の斜視図である。
【００２８】
本実施形態の清掃用具１ｂは把手３を図１１に示すような水平姿勢にすることができるため、上下間隔だけでなく横幅間隔の狭い清掃個所にも清掃用具１ｂを進入させることができ、そうした個所の清掃に使用できる利点を有する。また、把手３を支持体２ｂの長手方向、幅方向に付け替えできることに加え、把手３を支持体２ｂから取り外して支持体２ｂと把手３を分離して保管できる利点も有する。
【００２９】
（第４の実施形態）
本実施形態は把手３の変形実施形態である。これまでの実施形態では図５に示した構成の把手３を採用してきた。この把手３は図１２に示すような構成としてもよい。図１２の（１）はその把手３ｂの平面図、図１２の（２）は正面図である。図５の把手３と異なる点は、平行部の中間に間隔を確保するための間隔棒２０を取り付けたことにある。更に、把手３ｂを水平姿勢にした際に把手３ｂを握る手が清掃面に接触しないようにするため、平行部の中間部にＵ字折り曲げ部を清掃面から離す折り曲げが形成してある。
【００３０】
図５に示した把手３ではＵ字部を強く握るとＵ字先端部の間隔が狭まって旋回軸１６が軸受孔１９から外れる心配がある。これに対して本実施形態の把手３ｂでは、間隔棒２０が取り付けてあるためＵ字折り曲げ側部分を強く握っても旋回軸１６が軸受孔１９から外れることはない。
【００３１】
図１３は把手の更に別の実施形態であり、図１２に示した把手３ｂの間隔棒２０に代えてＵ字折り曲げ部分を直方体の樹脂把手２１の中に埋め込んだものである。このような構成とすれば図１２の把手３ｂと同様の効果が得られる他、把手が握り易くなる利点がある。
【符号の説明】
【００３２】
図面中、１、１ａ、１ｂは清掃用具、２、２ａ、２ｂは支持体、３、３ａ、３ｂ、３ｃは把手、４はシート体、１６は旋回軸、１８は溝、１８ｂは第２の溝、１９、１９ｂは軸受孔を示す。
【図１】
0003171468.tif 000003
【図２】
0003171468.tif 000004
【図３】
0003171468.tif 000005
【図４】
0003171468.tif 000006
【図５】
0003171468.tif 000007
【図６】
0003171468.tif 000008
【図７】
0003171468.tif 000009
【図８】
0003171468.tif 000010
【図９】
0003171468.tif 000011
【図１０】
0003171468.tif 000012
【図１１】
0003171468.tif 000013
【図１２】
0003171468.tif 000014
【図１３】
0003171468.tif 000015
【図１４】
0003171468.tif 000016
【図１５】
0003171468.tif 000017